(57)【要約】【課題】  ＣＣＤ素子の光軸に対する傾きの調整を精度よく行い、調整作業が容易な撮像装置を実現する。【解決手段】  マウント調整機構２００は、ＣＣＤ素子１３０を支持するためのマウント２０２と、後部鏡筒２０６に固定された鋼球２１８と、マウント２０２と後部鏡筒２０６との間に配置された調整ねじ２２０、２２２とを含む。鋼球２１８はマウント２０４の位置を定めるためのマウント基準部を構成する。調整ねじ２２０、２２２のねじ込み程度を変えることにより、後部鏡筒２０６に対するマウント２０２の角度を変え、ＣＣＤ素子の傾きを補正する。【選択図】      図５
2005117253.tif 000002
【特許請求の範囲】
【請求項１】
被写体を撮像するための撮像装置において、
被写体からの光束を結像させるための撮影レンズ系と、
該撮影レンズ系を支持するための撮影レンズ鏡筒部と、
前記撮影レンズ系を通る被写体からの光束を受像するための撮像素子と、
前記撮像素子を支持するためのマウントと、
前記撮影レンズ系の光軸に対する前記撮像素子の角度を変えるために、前記マウントの傾きを調整するためのマウント調整機構とを備え、
前記マウント調整機構は、
前記光軸と平行な方向において、前記マウントの位置を定めるためのマウント基準部と、
前記マウントと前記撮影レンズ鏡筒部との間に配置され、かつ、前記光軸と平行でない中心軸線にそって移動可能なように構成された移動部材とを含むように構成される、
ことを特徴とする撮像装置。
【請求項２】
前記マウント基準部は、少なくとも一部に球面を有することを特徴とする、請求項１に記載の撮像装置。
【請求項３】
前記移動部材と接触するための斜面が、前記マウントに設けられることを特徴とする、請求項１に記載の撮像装置。
【請求項４】
前記移動部材は、前記光軸と直角な中心軸線にそって移動可能なように構成された２つのねじ部材で構成され、前記２つのねじ部材は、前記光軸を中心として９０度〜１５０度の開角で配置されることを特徴とする、請求項１に記載の撮像装置。
【請求項５】
前記マウントを前記撮影レンズ鏡筒部に押し付けるための弾性部材を有することを特徴とする、請求項１〜４のいずれか１項に記載の撮像装置。
【発明の詳細な説明】
【技術分野】
【０００１】
本発明は、ＣＣＤ撮像素子を備えた撮像装置に関する。さらに詳細には、本発明は、ＣＣＤ撮像素子と、撮像素子傾き調整機構とを備えたカメラに関する。
【背景技術】
【０００２】
従来の一般的な撮像装置では、ＣＣＤ撮像素子をＣＣＤ板金に接着固定している。そして、このＣＣＤ撮像素子付きＣＣＤ板金を撮像レンズの後端にねじ止めし、或いは、接着固定している。また、従来の撮像素子傾き調整機構付き撮像装置は、撮像素子を有効撮像範囲内の対角線の一端を回転中心として光軸方向にアオリ調整可能な、撮像素子を固定する可動板と、この可動板を保持する固定板と、水平方向成分の調整ビスと、垂直方向成分の調整ビスとを含む（例えば、特許文献１参照）。
【０００３】
【特許文献１】特開平８−２４８４６５号公報（第４〜５頁、図１、図２）
【発明の開示】
【発明が解決しようとする課題】
【０００４】
従来の一般的な撮像装置では、ＣＣＤ撮像素子自体の部品精度が良くない。したがって、ＣＣＤ撮像素子を接着固定したＣＣＤ板金を撮像レンズの後端にねじ止めするだけでは、光学性能として要求されるピント面の位置精度（主に、ＣＣＤ撮像素子の光軸に対する傾きや芯ずれなど）を確保することが出来ないという課題がある。このような課題を解決するには、ＣＣＤ撮像素子をＣＣＤ板金に接着固定する際に、若しくは、このＣＣＤ撮像素子付きＣＣＤ板金を撮像レンズの鏡胴に組み込む際に、治工具などを用いて、ＣＣＤ撮像素子の光軸に対する傾きや芯ずれを補正する方法がある。しかしながら、この方法では、ＣＣＤ撮像素子の光軸に対する傾きや芯ずれを検出して、ＣＣＤ撮像素子の位置出しの微調整を行わなければならない。したがって、この方法では、ＣＣＤ撮像素子をＣＣＤ板金に接着固定するための大掛かりな設備が必要となり、初期投資が多大になるおそれがある。さらに、ＣＣＤ撮像素子をＣＣＤ板金に接着固定するだけでは、振動や衝撃などにより、ＣＣＤ撮像素子の位置ずれや破損が発生するおそれがある。
【０００５】
また、従来の撮像素子傾き調整機構付き撮像装置は、接眼部側から調整ねじによりＣＣＤ撮像素子を調整する機構を備えている。この撮像素子傾き調整機構では、撮像装置にＣＣＤ撮像素子を取付けたとき、或いは、撮像装置に画出し治具を取付けたとき、ＣＣＤ撮像素子を調整するのが困難になり、或いは、ＣＣＤ撮像素子を調整することができなくなるおそれがある。
【０００６】
本発明の目的は、ＣＣＤ撮像素子の光軸に対する傾きを精度よく、安定して行うことができ、ＣＣＤ撮像素子の光軸に対する傾きの調整作業が容易な撮像素子傾き調整機構付き撮像装置を実現することにある。
本発明の他の目的は、ＣＣＤ撮像素子を高い信頼性で保持することができる撮像素子傾き調整機構付き撮像装置を提供することにある。
本発明の更に他の目的は、撮像装置の小型化、特に、鏡胴後部の小型化を実現することにある。
【課題を解決するための手段】
【０００７】
本発明は、被写体を撮像するための撮像装置において、被写体からの光束を結像させるための撮影レンズ系と、撮影レンズ系を支持するための撮影レンズ鏡筒部と、撮影レンズ系を通る被写体からの光束を受像するための撮像素子と、撮像素子を支持するためのマウントと、撮影レンズ系の光軸に対する前記撮像素子の角度を変えるために、マウントの傾きを調整するためのマウント調整機構とを備えるように構成した。このマウント調整機構は、光軸と平行な方向において、マウントの位置を定めるためのマウント基準部と、マウントと撮影レンズ鏡筒部との間に配置され、かつ、光軸と平行でない中心軸線にそって移動可能なように構成された移動部材とを含むことを特徴とする。この構成により、撮像素子傾き調整機構付き撮像装置において、撮像素子の光軸に対する傾きの調整を精度よく、安定して行うことができる。
【０００８】
本発明の撮像装置では、マウント基準部は、少なくとも一部に球面を有するのが好ましい。また、本発明の撮像装置では、移動部材と接触するための斜面が、マウントに設けられのが好ましい。また、本発明の撮像装置では、移動部材は、光軸と直角な中心軸線にそって移動可能なように構成された２つのねじ部材で構成され、２つのねじ部材は、光軸を中心として９０度〜１５０度の開角で配置されるのが好ましい。この構成により、撮像装置において、撮像素子の光軸に対する傾きの調整作業が容易になる。さらに、本発明の撮像装置では、マウントを前記撮影レンズ鏡筒部に押し付けるための弾性部材を有するのが好ましい。この構成により、撮像装置において、撮像素子を高い信頼性で保持することができる。
【発明の効果】
【０００９】
本発明により、撮像素子傾き調整機構付き撮像装置において、撮像素子の光軸に対する傾きの調整を精度よく、安定して行うことができる。また、本発明により、撮像素子傾き調整機構付き撮像装置において、撮像素子の光軸に対する傾きの調整作業が容易になる。また、本発明により、撮像素子傾き調整機構付き撮像装置において、撮像素子を高い信頼性で保持することができる。また、本発明により、撮像素子傾き調整機構付き撮像装置において、撮像素子の傾きを調整した後に撮像素子を鏡胴に取付ける必要がなくなり、撮像素子自体の締結作業を容易に行うことができるようになる。また、本発明により、撮像素子傾き調整機構付き撮像装置において、鏡胴後部の小型化が可能になる。また、本発明により、光軸に対して垂直方向から撮像素子傾き調整機構を調整することができるので、撮像装置の製造・調整工程の簡略化が可能になる。
【発明を実施するための最良の形態】
【００１０】
以下に、本発明の実施形態を図面に基づいて説明する。この本発明の実施形態の特徴は、撮像用の撮像素子（すなわち、ＣＣＤ素子）を備えたデジタルカメラである。なお、以下に説明する実施形態では、撮像素子がＣＣＤ素子である構成について説明しているけれども、本発明においては、撮像素子としてＣＣＤ素子の代わりにＣＭＯＳなどの他の撮像素子を用いてもよい。
（１）カメラの全体構造
最初に、本発明の実施形態において、カメラの全体構造について説明する。図１〜図３、図１６を参照すると、本発明のカメラ１００はデジタルカメラで構成され、撮影レンズを通る被写体からの光束を記録するためのカメラボディ１１０と、被写体を撮影するための撮影レンズ１２０とを備える。撮影レンズ１２０はカメラボディ１１０に固定した構造であってもよいし、カメラボディ１１０から外せる構造であってもよい。撮影レンズ１２０は光軸１２２と、撮影レンズ光学系１２４と、絞り１２６と、シャッター１２７と、撮影レンズ光学系１２４の一部のレンズ又は全部のレンズを移動させて被写体からの光束により形成された像を合焦させるための合焦機構１７２と、シャッター１２７を作動させるためのシャッター作動機構１７３と、絞り１２６を作動させるための絞り作動機構１７４とを備える。
【００１１】
カメラボディ１１０は、ファインダー１１２と、シャッターボタン１１４と、１つ以上のスイッチ（図３には５個示す）１１６と、１つ以上のダイヤル１１８（図３には２個示す）と、ストロボ１１９とを備える。ファインダー１１２はＬＣＤで構成される。撮影レンズ光学系１２４を通る被写体からの光束を受像するためのＣＣＤ素子１３０と、ＣＣＤ素子１３０が受像した被写体からの光束に関する情報を演算処理するためのＣＰＵを内蔵したＩＣ１３２と、前記ＣＰＵが演算処理した被写体からの光束に関する情報を記憶するためのＲＡＭカード１３４とが、カメラボディ１１０に設けられる。絞り作動機構１７４、シャッター作動機構１７３、合焦機構１７２の作動はＩＣ１３２内のＣＰＵにより制御される。変形例として、ＲＡＭカード１３４の代わりに、磁気テープ、フレキシブルディスク、ＣＤ−ＲＯＭ、ＣＤ−Ｒ、ＣＤ−ＲＷ、ＤＶＤ−Ｒ、ＤＶＤ−ＲＷ、ＤＶＤ−ＲＡＭ、光ディスク、光磁気ディスクなどを用いることができる。
【００１２】
ＩＣ１３２内には、ＣＰＵ、ＲＯＭ、ＲＡＭなどが設けられる。さらに、ＩＣ１３２とは別個に、ＲＯＭ、ＲＡＭなどを設けることもできる。ＩＣ１３２は各種の動作を行うプログラムを内蔵したＰＬＡ−ＩＣであるのがよい。基準信号を発生するための水晶振動子１３６と、電源を構成する電池１３８とがカメラボディ１１０に内蔵される。また、本発明の実施の形態においては、必要に応じて、ＩＣ１３２とともに、抵抗、コンデンサ、コイル、ダイオード、トランジスタなどの外付け素子を用いることができる。
【００１３】
（２）マウント調整機構
次に、本発明の実施形態において、マウント調整機構の構造について説明する。図４〜図６を参照すると、マウント調整機構２００は、撮影レンズ系１２４の光軸１２２に対するＣＣＤ素子１３０の受像部の角度を変えるために設けられる。マウント調整機構２００は、ＣＣＤ素子１３０を支持するためのマウント２０２と、後部鏡筒２０６と、後部鏡筒２０６に固定された鋼球２１８と、マウント２０２と後部鏡筒２０６との間に配置された２つの調整ねじ２２０および２２２とを含む。後部鏡筒２０６は、撮影レンズ鏡筒部の一番後方（すなわち、撮影レンズ鏡筒部において、被写体から最も遠い方の位置）に配置される。鋼球２１８は光軸１２２と平行な方向と、光軸１２２と垂直な方向の両方向について、マウント２０２の位置を定めるためのマウント基準部を構成する。すなわち、マウント基準部は、鋼球２１８の球面の一部で構成される。例えば、ステンレス等で製造されたボールベアリング用のボールを鋼球２１８に適用することができる。鋼球２１８の直径は、例えば、３．４ｍｍであるのがよい。変形例として、鋼球２１８の代わりに、半球状の頭部を有する金属ピン又はプラスチックピンを後部鏡筒２０６に固定してもよい。或いは、鋼球２１８の代わりに、半球状のマウント基準部を後部鏡筒２０６と一体に成形することもできる。
【００１４】
図５を参照すると、ＣＣＤ素子１３０の裏面（被写体からの光束を受け入れる受像面１３０ｆと反対側の面）に支持板２３０が密着するように配置される。支持板２３０は、例えば、ステンレスで製造される。支持板２３０の裏面（ＣＣＤ素子１３０を配置した面と反対側の面）にＣＣＤ素子１３０用のＣＣＤ回路基板２３２が密着するように配置される。ＣＣＤ素子１３０の複数の端子１３０ａは、支持板２３０の孔と、ＣＣＤ回路基板２３２の孔を貫通する。端子１３０ａのそれぞれの端部１３０ｂが、ＣＣＤ回路基板２３２の所定のパターンに、それぞれはんだ付けされる。
図７〜図９を参照すると、後部鏡筒２０６は、鏡筒インサート２０８をベースとして用い、ポリカーボネートなどのエンジニアリングプラスチックをアウトサート成形することにより製造される。鏡筒インサート２０８の厚さは、例えば、強度等の兼ね合いから、１ｍｍであるのがよい。被写体からの光束を通過させるための長方形の開口部２０８ａが鏡筒インサート２０８に形成される。図５を参照すると、鋼球２１８は鏡筒インサート２０８に接触するように構成される。
【００１５】
図６を参照すると、ＣＣＤ素子１３０および支持板２３０を取付けたＣＣＤ回路基板２３２は、基板ねじ２３６によりマウント２０２にねじ締め固定される。図４を参照すると、ＣＣＤ回路基板２３２をマウント２０２に固定するときの案内は、マウント２０２に設けられたガイドピン２０２ｆ、２０２ｇである。基板ねじ２３６は、マウント２０２に設けたねじ下穴２０２ｃ、２０２ｄにセルフタッピングすることによりねじ締めされる。マウント２０２は、マウントねじ２４０により鏡筒インサート２０８のねじ穴にねじ締め固定される。図６を参照すると、マウント押えばね２４２が、マウントねじ２４０のねじ頭部下面と、後部鏡筒２０６のねじ座面との間に配置される。図１３を参照すると、マウント押えばね２４２はコイルばねとして形成される。マウント押えばね２４２は、マウント２０２を撮影レンズ鏡筒部（すなわち、後部鏡筒２０６）に押し付けるための弾性部材を構成する。第１のマウント押えばね２４２は、鋼球２１８の近くに配置されるのがよい。第２のマウント押えばね２４２は、調整ねじ２２０の近くに配置されるのがよい。第３のマウント押えばね２４２は、調整ねじ２２２の近くに配置されるのがよい。図４に示す本発明の実施形態においては、３本のマウントねじ２４０と、３個のマウント押えばね２４２を有する構成について説明したが、マウントねじ２４０およびマウント押えばね２４２は４個以上設けることもできる。この構成により、カメラなどの撮像装置において、ＣＣＤ素子１３０を高い信頼性で保持することができる。
【００１６】
図１０〜図１２を参照すると、マウント２０２は、マウントインサート２０４をベースとして用い、ポリカーボネートなどのエンジニアリングプラスチックをインサート成形することにより製造される。マウントインサート２０４の厚さは、例えば、０．６ｍｍであるのがよい。被写体からの光束を通過させるための長方形の開口部２０２ａがマウント２０２に形成される。鋼球２１８と接触するための鋼球接触部２０４ｂがマウントインサート２０４に形成される。鋼球接触部２０４ｂの内面は、鋼球２１８の外形形状に合うように球面形状に形成される。鋼球接触部２０４ｂを設け、鋼球接触部２０４ｂを鋼球２１８の外形形状に合わせて配置することにより、マウント２０２の後部鏡筒２０６に対する基準位置を、３次元の全ての方向について確実に決めることができる。
【００１７】
移動部材すなわち第１の調整ねじ２２０と接触するための第１の調整用斜面２０４ｃがマウントインサート２０４に設けられる。第２の調整ねじ２２２と接触するための第２の調整用斜面２０４ｄがマウントインサート２０４に設けられる。調整用斜面２０４ｃおよび２０４ｄの傾斜角度は、光軸１２２に近い方の部分が鏡筒インサート２０８の裏面に近く、光軸１２２から遠い方の部分が鏡筒インサート２０８の裏面から遠くなるように形成される。調整用斜面２０４ｃと、鏡筒インサート２０８の裏面がなす角度ＤＰは、例えば、１８．５度である。角度ＤＰは、５度〜４５度であるのが好ましく、１０度〜３０度であるのが一層好ましい。調整用斜面２０４ｄと、鏡筒インサート２０８の裏面がなす角度ＤＰは、例えば、１８．５度である。角度ＤＰは、５度〜４５度であるのが好ましく、１０度〜３０度であるのが一層好ましい。
図４を参照すると、調整ねじ２２０は、中心軸線２２０Ｘにそって移動可能なように設けられる。調整ねじ２２２は、中心軸線２２２Ｘにそって移動可能なように設けられる。調整ねじ２２０、２２２は移動部材を構成する。中心軸線２２２Ｘは光軸１２２と平行でないように配置される。中心軸線２２０Ｘは光軸１２２と平行でないように配置される。中心軸線２２０Ｘは光軸１２２と交差するように配置されるのが好ましい。中心軸線２２２Ｘは光軸１２２と交差するように配置されるのが好ましい。図４に示す本発明の実施形態においては、２本の調整ねじ２２０、２２２を有する構成について説明したが、調整ねじを３本以上設けることもできる。
【００１８】
図１４および図１５を参照すると、調整ねじ２２０は、本体２２０ｂと、先端軸部２２０ｃとを含む。本体２２０ｂの外周には、その全長にわたって雄ねじ２２０ｄが形成される。すなわち、本体２２０ｂは「全ねじ」となるように構成される。本体２２０ｂの上部端面２２０ｆには、六角穴２２０ｇが形成される。調整ねじ２２０、２２２は、それぞれ後部鏡筒２０６に設けられたねじ穴にねじ込まれる。六角レンチの先端部を六角穴２２０ｇに入れて六角レンチを回転させることにより、調整ねじ２２０を後部鏡筒２０６のねじ穴にねじ込んだり、緩めたりすることができる。先端軸部２２０ｃの外径は、雄ねじ２２０ｄの谷径より小さくなるように構成される。調整ねじ２２２は、調整ねじ２２０と同じ形状に形成されるのがよい。調整ねじ２２０を後部鏡筒２０６に設けられたねじ穴にねじ込むと、調整ねじ２２０の先端軸部２２０ｃの端部が調整用斜面２０４ｃに接触する。
【００１９】
図４を参照すると、調整ねじ２２０を後部鏡筒２０６に設けられたねじ穴にねじ込む程度を変えることにより、後部鏡筒２０６に対するマウントインサート２０４の角度を変えることができるように構成される。同様に、調整ねじ２２２を後部鏡筒２０６に設けられたねじ穴にねじ込む程度を変えることにより、後部鏡筒２０６に対するマウントインサート２０４の角度を変えることができるように構成される。調整ねじ２２０、２２２の軸線方向のストロークＳＴは、２〜３ｍｍ程度であるのがよい。この構成により、接眼部側からでなく、調整ねじ２２０、２２２を回転させることができるので、ＣＣＤ素子の光軸１２２に対する傾きの調整作業を非常に容易に行うことができる。
変形例として、マウントインサート２０４に調整用斜面を設けず、調整ねじの先端軸部を先細りのテーパ形状にすることもできる。この構成では、調整ねじをねじ込むにつれて、調整ねじの先端軸部のテーパ形状の太い部分がマウントインサート２０４に接触することにより、後部鏡筒２０６に対するマウントインサート２０４の角度を変えることができる。
【００２０】
図５を参照すると、中心軸線２２０Ｘと光軸１２２のなす角度ＤＬは、３０度〜１５０度であるのが好ましく、７０度〜１１０度であるのが一層好ましく、９０度であるのがなお一層好ましい。中心軸線２２２Ｘと光軸１２２のなす角度は、３０度〜１５０度であるのが好ましく、７０度〜１１０度であるのが一層好ましく、９０度であるのがなお一層好ましい。中心軸線２２０Ｘと光軸１２２のなす角度は、中心軸線２２２Ｘと光軸１２２のなす角度と等しいのが好ましい。調整ねじ２２０の先端部端面は、マウントインサート２０４の調整用斜面２０４ｃに接触するように構成される。調整ねじ２２２の先端部端面は、マウントインサート２０４の調整用斜面２０４ｄに接触するように構成される。調整ねじ２２０の側面は、鏡筒インサート２０８に接触するように構成される。調整ねじ２２２の側面は、鏡筒インサート２０８に接触するように構成される。
【００２１】
調整ねじ２２０の先端部の中心と、調整ねじ２２２の先端部の中心とは、光軸を中心として３０度〜１７０度の「開角」になるように配置されるのが好ましく、光軸を中心として９０度〜１５０度の「開角」になるように配置されるのが更に好ましい。調整ねじ２２０の先端部の中心と、調整ねじ２２２の先端部の中心とは、光軸を中心として１２０度の「開角」になるように配置されるのが一番好ましい。本明細書において、上記の「開角」とは、調整ねじ２２０の先端部の中心から光軸１２２に下ろした垂線と、調整ねじ２２２の先端部の中心から光軸１２２に下ろした垂線とがなす角度ＤＫを示す。この構成により、ＣＣＤ素子１３０の光軸１２２に対する傾きを精度よく調整することができ、しかも、ＣＣＤ素子１３０の傾きの調整は安定的かつ確実に行うことができる。また、この構成により、カメラ１００などの撮像装置において、ＣＣＤ素子１３０の光軸１２２に対する傾きの調整作業が容易になる。ここで、図１を参照すると、ＣＣＤ素子１３０を含むマウント調整機構２００は、撮影レンズ鏡筒部の一番後方に配置される。
【００２２】
（３）カメラの電子回路の構成
次に、本発明の実施形態において、カメラ１００の電子回路の構成について説明する。図１６を参照すると、ＩＣ１３２には、ダイヤル１１８の操作により設定されたモードを記憶するためのモード記憶部１３２ａと、スイッチ１１６の作動に基づき、および、シャッターボタン１１４の作動によりカメラ１００の作動を制御するための作動制御部１３２ｂと、作動制御部１３２ｂが出力する信号に基づいてストロボ１１９の発光を制御するためのストロボ制御部１３２ｃと、作動制御部１３２ｂが出力する信号により作動したＣＣＤ素子１３０が出力する信号に基づいて被写体からの光束により形成された像を像に関する情報を処理するための像情報処理部１３２ｅと、像情報処理部１３２ｅが出力する信号に基づいてシャッター１２７の作動を制御するためにシャッター作動機構１７３に信号を出力するシャッター制御部１３２ｇと、像情報処理部１３２ｅが出力する信号に基づいて表示内容を制御するための表示制御部１３２ｈと、像処理部１３２ｅが出力する信号に基づいて被写体からの光束により形成された像を合焦させるために合焦機構１７２に信号を出力する焦点検出制御部１３２ｊと、像情報処理部１３２ｅが出力する信号に基づいて絞り１２６の作動を制御するために絞り作動機構１７４に信号を出力する絞り制御部１３２ｋとが設けられる。
【００２３】
作動制御部１３２ｂと、ストロボ制御部１３２ｃと、像情報処理部１３２ｅと、シャッター制御部１３２ｇと、表示制御部１３２ｈと、焦点検出制御部１３２ｊと、絞り制御部１３２ｋとは、コンピュータソフトウェアとしてＩＣ１３２に設けられるのがよい。すなわち、作動制御部１３２ｂと、ストロボ制御部１３２ｃと、像情報処理部１３２ｅと、シャッター制御部１３２ｇと、表示制御部１３２ｈと、焦点検出制御部１３２ｊと、絞り制御部１３２ｋとは、コンピュータソフトウェアとしてそれぞれの動作内容と動作手順をプログラムに作成して、このプログラムをＩＣ１３２にインストールするのがよい。この構成では、ＩＣ１３２はＰＬＡ−ＩＣであるのがよい。
【００２４】
ダイヤル１１８の操作により設定されるモードは、例えば、ストロボ１１９を発光させるかどうか、露出・露光はマニュアルモード（いわゆるＭモード）、絞り優先モード（いわゆるＡＶモード）、シャッター速度優先モード（いわゆるＴＶモード）、プログラムモード（いわゆるＰモード）のいずれであるか、焦点調節は自動モード（いわゆるＡＦモード）か手動モード（いわゆるＭＦモード）か、像の記録媒体はＲＡＭカードであるか、或いは、他の記録媒体であるか、などである。
【００２５】
（４）マウント調整機構の調整
次に、本発明の実施形態において、マウント調整機構２００の調整方法について説明する。図１、図４〜図６を参照すると、マウント調整機構２００のＣＣＤ回路基板２３２の測定用端子を画像測定器（図示せず）に接続する。この状態で、カメラ１００でテストチャートを撮像する。テストチャートの図形からの光束はＣＣＤ素子１３０に受像される。ＣＣＤ素子１３０が受像したテストチャートの図形に関する信号は、ＣＣＤ回路基板２３２の測定用端子から画像測定器に入力される。調整者は画像測定器に入力されたデータを見ながら、六角レンチを用いて調整ねじ２２０と、調整ねじ２２２を回転させる。調整ねじ２２０と、調整ねじ２２２を回転させることにより、後部鏡筒２０６に対するマウントインサート２０４の角度を変えることができる。したがって、調整者は画像測定器に入力されたデータを見ながら、後部鏡筒２０６に対するマウントインサート２０４の角度を適正な値に設定することができる。本発明のカメラでは、光軸に対して垂直方向から調整ねじ２２０、２２２を回転させてマウント調整機構を調整することができるので、撮像装置の製造・調整工程の簡略化が可能になる。
【００２６】
（５）カメラの作用
次に、本発明の実施形態において、カメラ１００の作用について説明する。図１〜図３および図１６を参照すると、ダイヤル１１８の操作によりカメラ１００の作動モードを設定する。例えば、ダイヤル１１８の操作により、ストロボ１１９を発光させず、露出・露光はプログラムモードにして、焦点調節は自動モードにして、像の記録はＲＡＭカード１３４に行うように作動モードを設定する。モード記憶部１３２ａは上記のように設定されたモードを記憶する。スイッチ１１６の作動に基づき、作動制御部１３２ｂが出力する信号によりＣＣＤ素子１３０が作動し、被写体からの光束を受け入れる。像情報処理部１３２ｅはＣＣＤ素子１３０が出力する信号に基づいて被写体からの光束により形成された像に関する情報を処理する。表示制御部１３２ｈは、像情報処理部１３２ｅが出力する信号に基づいて表示内容を制御する。表示制御部１３２ｈが出力する信号に基づいてファインダー１１２に被写体からの光束により形成された像が表示される。
【００２７】
シャッターボタン１１４を１／２ストローク押すと、焦点検出制御部１３２ｊは、像情報処理部１３２ｅが出力する信号に基づいて被写体からの光束により形成された像を合焦させるための信号を焦点検出制御部１３２ｊに出力し、焦点検出制御部１３２ｊは、この信号に基づいて、合焦機構１７２の動作を制御する。合焦機構１７２は撮影レンズ光学系１２４の一部のレンズ又は全部のレンズを移動させて被写体からの光束により形成された像を合焦させる。シャッター制御部１３２ｇおよび絞り制御部１３２ｋは、像情報処理部１３２ｅが出力する信号に基づいて、プログラムにより予め定められている適正なシャッター速度と絞りの値を演算する。
【００２８】
シャッターボタン１１４を全ストローク押すと、絞り制御部１３２ｋは、像情報処理部１３２ｅが出力する信号に基づいて絞り１２６を作動させるための信号を絞り作動機構１７４に出力して、絞り値が決定された値になるように絞り１２６を作動させる。シャッター制御部１３２ｇは、像情報処理部１３２ｅが出力する信号に基づいてシャッター１２７を作動させるための信号をシャッター作動機構１７３に出力して、シャッター１２７を決定された値でシャッター速度で作動させる。表示制御部１３２ｈは、前記シャッター速度で、被写体からの光束により形成された像をＲＡＭカード１３４に記録する。
【産業上の利用可能性】
【００２９】
本発明は、デジタルカメラ、監視カメラ、画像入力装置などの撮像装置に適用することができる。
【図面の簡単な説明】
【００３０】
【図１】本発明のカメラの実施形態を示す部分断面図である。
【図２】本発明のカメラの実施形態を示す斜視図である。
【図３】本発明のカメラの実施形態を示す背面図である。
【図４】本発明のカメラの実施形態において、マウント調整機構を示す正面図である。
【図５】本発明のカメラの実施形態において、撮像素子を取付けたマウント調整機構を示す部分断面図である。
【図６】本発明のカメラの実施形態において、撮像素子を取付けたマウント調整機構を示す部分断面図である。
【図７】本発明のカメラの実施形態において、後部鏡胴を示す斜視図である。
【図８】本発明のカメラの実施形態において、後部鏡胴を示す正面図である。
【図９】本発明のカメラの実施形態において、後部鏡胴を示す背面図である。
【図１０】本発明のカメラの実施形態において、マウントを示す斜視図である。
【図１１】本発明のカメラの実施形態において、マウントを示す正面図である。
【図１２】本発明のカメラの実施形態において、マウントを示す背面図である。
【図１３】本発明のカメラの実施形態において、マウント押えばねを示す側面図である。
【図１４】本発明のカメラの実施形態において、調整ねじを示す上面図である。
【図１５】本発明のカメラの実施形態において、調整ねじを示す側面図である。
【図１６】本発明のカメラの実施形態において、制御回路の概略構成を示すブロック図である。
【符号の説明】
【００３１】
１００  カメラ
１１０  カメラボディ
１２０  撮影レンズ
１２２  光軸
１２４  撮影レンズ光学系
１２６  絞り
１２７  シャッター
１３０  ＣＣＤ素子
２００  マウント調整機構
２０２  マウント
２０４  マウントインサート
２０６  後部鏡筒
２０８  鏡筒インサート
２１８  鋼球
２２０  調整ねじ
２２２  調整ねじ
２３０  支持板
２３２  ＣＣＤ回路基板
２３６  基板ねじ
２４２  マウント押えばね
【図１】
2005117253.tif 000003
【図２】
2005117253.tif 000004
【図３】
2005117253.tif 000005
【図４】
2005117253.tif 000006
【図５】
2005117253.tif 000007
【図６】
2005117253.tif 000008
【図７】
2005117253.tif 000009
【図８】
2005117253.tif 000010
【図９】
2005117253.tif 000011
【図１０】
2005117253.tif 000012
【図１１】
2005117253.tif 000013
【図１２】
2005117253.tif 000014
【図１３】
2005117253.tif 000015
【図１４】
2005117253.tif 000016
【図１５】
2005117253.tif 000017
【図１６】
2005117253.tif 000018